(57)【要約】【課題】  扉開閉装置において部品点数を削減し製造コストを低減する。【解決手段】  筺体を構成する柱５に固定側蝶番６が取り付けられており、この固定側蝶番６に枢軸７を介して可動側蝶番８が回動自在に支持されている。可動側蝶番８の両端部には、第１の係合部９と第２の係合部１０とが突設され、ガイドレール１２はスライドベアリング１１を介して可動側蝶番８に摺動自在に支持されている。ガイドレール１２は扉３Ｂに取り付けられ、一方の端部には、第１の係合部９に係脱自在で係合することにより扉３Ｂが開いた状態に保持される第１の被係合部材１３が設けられている。また、ガイドレール１２の他方の端部には、第２の係合部１０に係脱自在で係合することにより扉３Ｂを収納空間４に収納した状態を保持する第２の被係合部材が設けられている。【選択図】  図６
2008075376.tif 000002
【特許請求の範囲】
【請求項１】
筺体の前面部に設けた開口を筺体の側部で枢支した扉によって開閉し、開いた扉を筺体の側部に設けた収納空間に収納可能とした扉開閉装置において、前記開口の側部に設けた蝶番と、この蝶番に摺動自在に支持され前記扉に取り付けられたガイドレールとを備え、前記蝶番に第１の係合部を設け、前記ガイドレールの移動方向における一端部に前記第１の係合部に係脱自在で係合することにより前記扉を開いた状態に保持する第１の被係合部材を設けたことを特徴とする扉開閉装置。
【請求項２】
前記蝶番に第２の係合部を設け、前記ガイドレールの移動方向における他端部に前記第２の係合部に係脱自在で係合することにより前記扉を前記収納空間内に収納した状態に保持する第２の被係合部材を設けたことを特徴とする請求項１記載の扉開閉装置。
【発明の詳細な説明】
【技術分野】
【０００１】
本発明は、開いた扉をそのままの状態に保持したり、開いた扉を移動させ筺体の側部に収納したりする扉開閉装置に関するものである。
【背景技術】
【０００２】
この種の扉開閉装置としては、側部に扉を収納する収納空間を設けた筺体と、扉を蝶番を介して支持し収納空間内を前後に移動自在に支持された扉支持用可動体と、この扉支持用可動体と収納空間の後端部とを連結するリンク機構とを備え、リンク機構によって扉を開いた状態に保持したり、扉を収納空間内に収納した状態に保持したりするものがある（例えば、特許文献１参照）。
【特許文献１】特開平６−５８０４０号公報（段落〔０００７〕〜〔０００９〕、図１ないし図３）
【発明の開示】
【発明が解決しようとする課題】
【０００３】
上述した従来の扉開閉装置においては、開いた扉をそのままの状態に保持したり、筺体の側部に収納した扉をそのままの状態に保持するのに、扉支持用可動体の他にリンク機構やリンク機構をガイドするガイドレールあるいはリンク有効長さ調整手段が必要になるため、部品点数が増加するというばかりではなく、組立工数が増加するため製造コストが嵩むという問題があった。
【０００４】
本発明は上記した従来の問題に鑑みなされたものであり、その目的とするところは、部品点数を削減し製造コストを低減した扉開閉装置を提供するところにある。
【課題を解決するための手段】
【０００５】
この目的を達成するために、請求項１に係る発明は、筺体の前面部に設けた開口を筺体の側部で枢支した扉によって開閉し、開いた扉を筺体の側部に設けた収納空間に収納可能とした扉開閉装置において、前記開口の側部に設けた蝶番と、この蝶番に摺動自在に支持され前記扉に取り付けられたガイドレールとを備え、前記蝶番に第１の係合部を設け、前記ガイドレールの移動方向における一端部に前記第１の係合部に係脱自在で係合することにより前記扉を開いた状態に保持する第１の被係合部材を設けたものである。
【０００６】
請求項２に係る発明は、請求項１に係る発明において、前記蝶番に第２の係合部を設け、前記ガイドレールの移動方向における他端部に前記第２の係合部に係脱自在で係合することにより前記扉を前記収納空間内に収納した状態に保持する第２の被係合部材を設けたものである。
【発明の効果】
【０００７】
本発明によれば、開いた扉をそのままの状態に保持したり、筺体の側部に収納した扉をそのままの状態に保持するのに、蝶番に設けた係合部と、ガイドレールに設けた被係合部材との係合によって行うことができるため、部品点数を削減することができ、製造コストも低減することができる。
【０００８】
以下、本発明の実施の形態を図に基づいて説明する。図１は本発明に係る扉開閉装置を適用した筺体の正面図、図２は同じく筺体の右半分を示す平面図、図３は図２におけるIII 部の拡大図、図４は同じく扉を閉じた状態を示す筺体の側面図、図５は同じく扉を開いた状態を示す筺体の右半分の平面図、図６は図５におけるVI部の拡大図、図７は図５におけるVII 矢視図、図８は同じく扉を収納した状態を示す筺体の右半分の平面図、図９は図８におけるIX部の拡大図、図１０は図８におけるX 矢視図、図１１は図６におけるXI矢視図、図１２は図６におけるXII-XII 線断面図である。
【０００９】
図１に全体を符号１で示す筺体は、前面部に開口２が設けられ（図５参照）、この開口２を筺体１の左右の側部に設けた後述する可動側蝶番８を介して観音開きによって開閉する扉３Ａ，３Ｂが備えられ、側部に開いた扉３Ａ，３Ｂを収納する収納空間４，４（一方の収納空間４は図示せず）が設けられている。５は開口２の側部に設けられ筺体１を構成する前部側の柱であって、この柱５には、図３に示すように二つの固定側蝶番６，６が上下方向に間隔をおいて取り付けられている（図１１および図１２参照）。
【００１０】
この固定側蝶番６，６間には、枢軸７を介して可動側蝶番８が枢支されており、この可動側蝶番８の両端部（図１１において矢印Ｃ−Ｄ方向）には、鍵穴状に形成された第１の係合部９と第２の係合部１０とが突設されている。また、この可動側蝶番８には、図１２に示すようにスライドベアリング１１が取り付けられており、このスライドベアリング１１には、扉３Ｂの幅方向に延在し扉３Ｂに取り付けられたガイドレール１２が、図１１における矢印Ｃ−Ｄ方向に摺動自在に支持されている。
【００１１】
図１１において、１３は第１の被係合部材としての第１のボールキャッチャーであって、中央部に溝１３ａが設けられており、この溝１３ａに一部が臨むように付勢手段によって付勢され互いに対向する一対のボール１３ｂ，１３ｂが両端部に収納されている。この第１のボールキャッチャー１３は、ガイドレール１２の図１１における矢印Ｃ方向の端部に設けられており、ガイドレール１２が矢印Ｄ方向へ移動した際の移動端限において、上記した第１の係合部９が溝１３ａに係合する。そして、係合することにより、後述するように扉３Ｂの開口２を９０°開いた状態が保持される。この状態から、ガイドレール１２を矢印Ｃ方向にわずかに移動させることにより、第１の係合部９と溝１３ａとの係合が解除される。
【００１２】
１４は第２の被係合部材としての第２のボールキャッチャーであって、中央部に溝１４ａが設けられており、この溝１４ａに一部が臨むように付勢手段によって付勢され互いに対向する一対のボール１４ｂ，１４ｂが両端部に収納されている。この第２のボールキャッチャー１４は、ガイドレール１２の図１１における矢印Ｄ方向の端部に設けられており、ガイドレール１２が矢印Ｃ方向へ移動した際の移動端限において、上記した第２の係合部１０が溝１４ａに係合する。そして、係合することにより、後述するように扉３Ｂの筺体１の収納空間４への収納された状態が保持される。この状態から、ガイドレール１２を矢印Ｄ方向にわずかに移動させることにより、第２の係合部１０と溝１４ａとの係合が解除される。
【００１３】
なお、この扉３Ｂを回動自在に支持する蝶番６，８および扉３Ｂを移動自在に支持するスライドベアリング１１、ガイドレール１２は、図示を省略しているが、この扉３Ｂの下方側および扉３Ａの上下に設けられており、扉３Ａも扉３Ｂと同様に観音開きによって筺体１の開口２を９０°開くように構成されている。
【００１４】
図２において、１５は筺体１の側方に設けられた後部側の柱であって、この後部側の柱１５と前部側の柱５との互いの上端部間に横架された梁１６には、ガイド板１７が矢印Ｃ−Ｄ方向に延在するように取り付けられている。このガイド板１７にはガイド溝１８が設けられており、このガイド溝１８は、矢印Ｄ方向の端部に湾曲状に形成された第１のガイド部１８ａと、この第１のガイド部１８ａに連設され矢印Ｃ−Ｄ方向に一直線状に延設された第２のガイド部１８ｂとによって構成されている。
【００１５】
図１において、１９はガイド溝１８に臨むように扉３Ｂの上部に突設されたピンであって、このピン１９とガイド溝１８とによって扉３Ｂの開閉時の案内と収納時の案内とが行われる。すなわち、扉３Ｂが筺体の開口２を閉じた状態では、図３に示すようにピン１９はガイド溝１８の第１のガイド部１８ａの矢印Ｄ方向の端部に位置付けられている。
【００１６】
この状態から扉３Ｂを枢軸７を回動中心として矢印Ａ方向に回動させると、ピン１９はガイド溝１８の第１のガイド部１８ａ内を摺動し、図６に示すようにピン１９が第１のガイド部１８ａの矢印Ｃ方向の端部に位置付けられることにより、扉３Ｂが開口２を９０°開いた状態になる。次いで、扉３Ｂを矢印Ｃ方向に移動させると、ガイドレール１２がスライドベアリング１１によって矢印Ｃ方向に移動し、このときピン１９が第２のガイド部１８ｂによって矢印Ｃ方向に案内される。
【００１７】
次に、このように構成された扉開閉装置における扉の開閉動作および収納動作について説明する。図１および図２に示す扉３Ａ，３Ｂが筺体１の開口２を閉じた状態においては、図３に示すように可動側蝶番８の一方の端部に設けた第１の係合部９が、ガイドレール１２の一方の端部に設けた第１のボールキャッチャー１３に係合している。
【００１８】
この状態から、図５に示すように扉３Ｂを矢印Ａ方向に９０°回動させると、図６に示すように可動側蝶番８が枢軸７を回動中心として矢印Ａ方向に回動し、ピン１９がガイド溝１８の第１のガイド部１８ａの矢印Ｄ方向の端部から摺動して矢印Ｃ方向の端部に位置付けられ、扉３Ｂが筺体１の開口２を９０°開いた状態とする。このとき、可動側蝶番８の第１の係合部９が、ガイドレール１２の第１のボールキャッチャー１３に係合していることにより、扉３Ｂによる筺体１の開口２の９０°開いた状態が保持される。このため、扉３Ｂの開いた状態を手によって保持することなく、筺体１内からの物品の出し入れを行うことができるから作業性が向上する。
【００１９】
次いで、扉３Ｂを筺体１の収納空間４内に収納する必要が生じたら、扉３Ｂを矢印Ｃ方向に押圧することにより、可動側蝶番８の第１の係合部とガイドレール１２の第１のボールキャッチャー１３との係合が解除される。この状態で、扉３Ｂを矢印Ｃ方向に移動させると、ピン１９がガイド溝１８の第２のガイド部１８ｂ内を摺動し、ピン１９が第２のガイド部１８ｂの矢印Ｃ方向の端部に位置付けられることにより、扉３Ｂが筺体１の収納空間４内に収納される。
【００２０】
この状態で、図９に示すように、可動側蝶番８の他方の端部に設けた第２の係合部１０が、ガイドレール１２の他方の端部に設けた第２のボールキャッチャー１４に係合する。このため、扉３Ｂの筺体１の収納空間４内への収納された状態が保持されるから、筺体１の開口２の周辺が大きく開放され、筺体１内からの物品の出し入れを容易に行うことができるから作業性が向上する。
【００２１】
次いで、扉３Ｂを収納空間４から取り出す場合は、扉３Ｂを矢印Ｄ方向に引き出すことにより、可動側蝶番８の第２の係合部１０とガイドレール１２の第２のボールキャッチャー１４との係合が解除される。さらに、扉３Ｂを矢印Ｄ方向に移動させると、ピン１９がガイド溝１８の第２のガイド部１８ｂ内を摺動し、ピン１９が第２のガイド部１８ｂの矢印Ｄ方向の端部に位置付けられることにより、図５に示すように扉３Ｂが筺体１の収納空間４から引き出される。
【００２２】
このとき、図６に示すように、可動側蝶番８の一方の端部に設けた第１の係合部９が、ガイドレール１２の一方の端部に設けた第１のボールキャッチャー１３に係合する。この状態で、扉３Ｂを枢軸７を回動中心として矢印Ｂ方向へ９０°回動させることにより、図２に示すように扉３Ｂによって筺体１の開口２を閉じられる。
【００２３】
このように、開いた扉３Ｂをそのままの状態に保持したり、筺体１の収納空間４に収納した扉３Ｂをそのままの状態に保持するのに、可動側蝶番８に設けた第１および第２の係合部９，１０と、ガイドレール１２に設けた第１および第２のボールキャッチャー１３，１４との係合によって行うことができるため、部品点数を削減することができ、製造コストも低減することもできる。
【図面の簡単な説明】
【００２４】
【図１】本発明に係る扉開閉装置を適用した筺体の正面図である。
【図２】本発明に係る扉開閉装置を適用した筺体の右半分を示す平面図である。
【図３】図２におけるIII 部の拡大図である。
【図４】本発明に係る扉開閉装置を適用した筺体において、扉を閉じた状態を示す側面図である。
【図５】本発明に係る扉開閉装置を適用した筺体において、扉を開いた状態を示す筺体の右半分の平面図である。
【図６】図５におけるVI部の拡大図である。
【図７】図５におけるVII 矢視図である。
【図８】本発明に係る扉開閉装置を適用した筺体において、扉を収納した状態を示す筺体の右半分の平面図である。
【図９】図８におけるIX部の拡大図である。
【図１０】図８におけるX 矢視図である。
【図１１】図６におけるXI矢視図である。
【図１２】図６におけるXII-XII 線断面図である。
【符号の説明】
【００２５】
１…筺体、２…開口、３Ａ，３Ｂ…扉、４…収納空間、６…固定側蝶番、８…可動側蝶番、９…第１の係合部、１０…第２の係合部、１１…スライドベアリング、１２…ガイドレール、１３…第１のボールキャッチャー（第１の被係合部材）、１４…第２のボールキャッチャー（第２の被係合部材）、１８…ガイド溝、１９…ピン。
【図１】
2008075376.tif 000003
【図２】
2008075376.tif 000004
【図３】
2008075376.tif 000005
【図４】
2008075376.tif 000006
【図５】
2008075376.tif 000007
【図６】
2008075376.tif 000008
【図７】
2008075376.tif 000009
【図８】
2008075376.tif 000010
【図９】
2008075376.tif 000011
【図１０】
2008075376.tif 000012
【図１１】
2008075376.tif 000013
【図１２】
2008075376.tif 000014